(57)【要約】【課題】  使い勝手がよく、シートの使用によって容器の大きさが小さくなり、携帯性に優れ、詰替えも可能なシート容器を提供する。【解決手段】  Ｃ折りしたシート片１０を、１枚ずつ交互に重ね合わせた状態で収納したシート容器１２において、シート容器１２は、Ｃ折りしたシート片１０を１枚づつ交互に重ね合わせた方向と直交した側に取り出し口１４を設け、シート片１０を１枚づつ交互に重ね合わせた高さ方向が、シート片１０の取り出に応じて減少するシート容器１２。【選択図】図１
2016000619.tif 000002
【特許請求の範囲】
【請求項１】
Ｃ折りしたシート片を、１枚ずつ交互に重ね合わせた状態で収納したシート容器において、
シート容器は、Ｃ折りしたシート片を１枚づつ交互に重ね合わせた方向と直交した側に取り出し口を設け、
シート片を１枚づつ交互に重ね合わせた高さ方向が、シート片の取り出に応じて減少することを特徴とするシート容器。
【請求項２】
シート容器が取り出し口を備えたピロー型であることを特徴とする請求項１に記載のシート容器。
【請求項３】
シート容器の材質が、紙製、布製、又は樹脂製フィルムであることを特徴とする請求項１又は２に記載のシート容器。
【発明の詳細な説明】
【技術分野】
【０００１】
本発明は、Ｃ折りしたシート片を複数収容するシート容器に関する。
【背景技術】
【０００２】
従来、シートを収容する容器例えば、テッィシュペーパーに代表される容器形態には、ボックス型テッィシュペーパーと、携帯用のポケットティッシュが挙げられる。
【０００３】
これらのティッシュの折り方は２つ折りであり、通称「Ｃ折り」と呼ばれている。Ｃ折りを１枚ずつ交互に重ね合わせて積層として、上部からティッシュを取り出すのがボックス型のポップアップ方式である。
【０００４】
ボックス型は、ポップアップ方式が一般的であり使い勝手がよい。又、ボックス型は、枚数も１５０〜２００枚と使い手がある。しかしながら、現行のボックス型では、容器が主に紙製で形成され、紙箱が大きくティッシュを使い切るまで容器の大きさは一定で変わらず場所を取る。一方、ポケットティッシュは容器が主に樹脂性フィルムで形成され、ティッシュの枚数が１０枚以内と少ない。
【０００５】
容器からシートを取り出す際にシートが変形する技術に関して、特許文献１においては紙ハンカチ等のシートの容器が開示されている。この容器では、シートを取り出した時に瞬時に１枚に紙ハンカチが広がるようにしている。又、シート１枚がＺ形状やジグザグ構造となり、１枚又は複数枚が箔、紙、カードボード製の外部包装体から形成される。シートをＣＺ構造やジグザグ構造は、常に、引き出し開口、又は、引き出す方向に直角な方向（積層体の長手方向）を向いている。
【０００６】
又、特許文献２では、市販のボックス型に収容されるティッシュを携帯用に装填する携帯用ケースを開示している。ティッシュの取り出方向はボックス型と同じポップアップ方式である。
【０００７】
又、特許文献３では、粘着シートをＣ折りとしてボックス型と同じポップアップ方式が開示されている。
【０００８】
又、特許文献４では、２つ折りの携帯容器で、市販のティッシュペーパーの取り出し口を外側にした携帯用小物入れが開示されている。
【０００９】
又、特許文献５では、半分に折ったティッシュペーパーを２つ折りとして、３つ折り４つ折りとして、これらをＣ折りで積層体としたポップアップ式方式のティッシュペーパーが開示されている。
【先行技術文献】
【特許文献】
【００１０】
【特許文献１】特開平６−１１５５７４号公報
【特許文献２】特開２００３−２２６３８０号公報
【特許文献３】特開２００６−７４２４号公報
【特許文献４】特開２００１−１１４３５８号公報
【特許文献５】実用新案登録３１５１０９３号公報
【発明の概要】
【発明が解決しようとする課題】
【００１１】
しかしながら、前述の従来のシートの折り畳み構造では、ボックス型でも、携帯用でも容器から上方にポップアップして取り出すことにしており、多数枚を収容しかつ取り出し易い構成が未提案であった。特に、厚手のシートを容器に収容した場合にポップアップ方式では、取り出しにくく使い勝手が悪いという問題が生じる。
【００１２】
本発明は、斯かる実情に鑑み、使い勝手がよく、シートの使用によって容器の大きさが小さくなり、携帯性に優れ、詰替えも可能なシート容器を提供するものである。
【課題を解決するための手段】
【００１３】
本発明は、Ｃ折りしたシート片を、１枚ずつ交互に重ね合わせた状態で収納したシート容器において、
シート容器は、Ｃ折りしたシート片を１枚づつ交互に重ね合わせた方向と直交した側に取り出し口を設け、
シート片を１枚づつ交互に重ね合わせた高さ方向が、シート片の取り出に応じて減少することを特徴とするシート容器である。
【００１４】
本発明において、シート容器が取り出し口を備えたピロー型であることが好適である。
【００１５】
本発明において、シート容器の材質が、紙製、布製、又は樹脂製フィルムであることが好適である。
【発明の効果】
【００１６】
本発明のシート容器によれば、シート容器は、Ｃ折りしたシート片を１枚づつ交互に重ね合わせた方向と直交した側に取り出し口を設け、シート片を１枚づつ交互に重ね合わせた高さ方向が、シート片の取り出に応じて減少するようにしたので、取り出し口からシート片を取り出すことができ、一つのシート片を取り出すと重ね合わせた次のシート片の口元が取り出し口から飛び出した状態になる。この次のシート片の飛び出した口元をつまんで次回に便利に使用することができる。
【００１７】
又、容器から取り出したシート片は、Ｃ字折りであるので瞬時に広がり、一般のポケットティッシュのような広げる必要がなく使い易い。又、次のシート片の飛び出した口元は僅かな突出のために、汚れることがなく衛生的である。
【００１８】
なお、シート容器が取り出し口を備えたピロー型等の軟包装の容器であれば使い続ける度に厚みが小さくなり、又、容器を折り畳むことが可能であるので携帯性に優れる。又、市販のボックスティッシュの積層体を詰替えて同様な効果が得られる。
【００１９】
シート容器の材質が、紙製、布製、又は樹脂製フィルムであることが好ましい。
【図面の簡単な説明】
【００２０】
【図１】本発明の実施形態に係るシート片を収容したシート容器の斜視図である。
【図２】図１のシート容器に収容するシート片をＣ折りした説明図で、（ａ）が１枚のシート片、（ｂ）が２枚の対向したシート片を示す。
【図３】図２のシート片を折り畳んだ状態の側面図である。
【発明を実施するための形態】
【００２１】
以下、本発明の実施形態について添付図面を参照して説明する。
【００２２】
図１はシート片を収容したシート容器を示す、図２〜図３はシート片の折り畳み説明図である。
【００２３】
図１に示すように、実施形態は、Ｃ折りしたシート片１０を、１枚ずつ交互に重ね合わせた状態の積層体として収容するシート容器１２である。具体的には、クッキングペーパータオル、ペーパータオル、ティッシュペーパー等シート片１０を収容する取り出し口１４の有るピロー形状のシート容器１２に関する。
【００２４】
シート片１０のＣ折りは、図２に示すように、折りと直角方向から見て概略Ｃ字形状を呈したものである。そして、図３に示すように、Ｃ折りしたシート片１０を１枚づつ交互に重ね合わせてシート容器に収容する。
【００２５】
具体的には、図２（ａ）に示すように、Ｃ折りしたシート片１０は、中央の折り線１０ａを中心に両方の側部１０ｂ、１０ｂが対向するように折り、両方の側部１０ｂ、１０ｂ間に隙間１０ｃを設ける。そして、図２（ｂ）に示すように、一つのシート片１０の隙間１０ｃに他のシート片１０の側部１０ｂが入り込んだ形になるように折り重ねる。
【００２６】
図３は、上述のようにして複数のシート片１０を次々に折り重ねた状態を示す。複数のシート片１０を折り重ねるのに、隙間１０ｃの開口方向（折り線１０ａの反対側）が交互になる。一つのシート片１０に対して上・下のシート片１０の関係は、一つのシート片１０の隙間１０ｃに二つの他のシート片１０の各側部１０ｂが入り込んだ形になるように折り重ねる。
【００２７】
図１に示すように、このシート容器１２は、Ｃ折りしたシート片１０が図３のように複数重ねられたもの（シート積層体）を、１枚づつ交互に重ね合わせた方向（Ｚ方向）と直交した側（Ｙ方向）に取り出し口１４を開口して設けている。
【００２８】
そして、シート容器１２は、シート片１０を１枚づつ交互に重ね合わせた高さ方向が、シート片１０の取り出に応じて減少する柔軟性容器である。
【００２９】
一つのシート片１０を取り出すと重ね合わせた次のシート片１０の口元が取り出し口１４から飛び出した状態になる。
【００３０】
シート容器は、柔軟性容器であり、一端に取り出し口１４を備えたピロー型である。取り出し口１４は、スリットで切れるものでも、解放口でも、折り重なったものでも、フラップで蓋ができるものでもいずれでもよい。
【００３１】
又、シート容器１２は、柔軟性容器とするため、その材質を、紙製、布製、又は樹脂製フィルムとし、柔軟性のある材質ならいずれでもよい。
【００３２】
実施形態のシート容器１２によれば、Ｃ折りしたシート片１０を１枚づつ交互に重ね合わせた方向（Ｚ方向）と直交した側（Ｙ方向）に取り出し口１４を設け、シート片１０を１枚づつ交互に重ね合わせた高さ方向（Ｚ方向）が、シート片１０の取り出に応じて減少するようにしたので、取り出し口１４からシート片１０を取り出すことができ、一つのシート片１０を取り出すと重ね合わせた次のシート片の口元が取り出し口１４から飛び出した状態になる。この次のシート片１０の飛び出した口元をつまんで次回に便利に使用することができる。
【００３３】
又、シート容器１２から取り出したシート片１０は、Ｃ字折りであるので瞬時に広がり、一般のポケットティッシュのような広げる必要がなく使い易い。又、次のシート片１０の飛び出した口元は僅かな突出のために、汚れることがなく衛生的である。
【００３４】
又、シート容器１２が取り出し口１４を備えたピロー型等の軟包装の容器なので、使い続ける度に厚みが小さくなり、置き場所を取らず便利である。
【００３５】
又、シート容器１２は紙製、布製、樹脂製フィルム等の柔軟性容器の使用により、その柔軟性から折り畳むことが可能であるので携帯性に優れる。
【００３６】
又、市販のボックスティッシュの積層体のティッシュペーパーをシート片１０としてシート容器１２に詰替えて同様な効果が得られる。又、ティッシュペーパー以外にペーパータオル、湿式ペーパーをシート容器１２に詰めて使用できる。ただ、皺になるシート（例えばアルミホイル）や密着し易いシート（ラップ）の使用は好ましくない。
【産業上の利用可能性】
【００３７】
本発明のシート容器は、ティッシュペーパー、クッキングペーパー等のシート容器に利用することができる。
【符号の説明】
【００３８】
１０  シート片
１２  シート容器
１４  取り出し口
【図１】
2016000619.tif 000003
【図２】
2016000619.tif 000004
【図３】
2016000619.tif 000005